(57)【特許請求の範囲】
【請求項１】
枠構造を有する基台と、
前記基台上に並設され、前記基台が有する支持部に支持された複数の床材と、
隣り合う前記床材の境界部分を跨ぐように前記床材の上面に支持された上側被覆部材と、を備え、
前記上側被覆部材は、耐火性を有する耐火部材を備え、
前記床材の下面は、前記床材の一側面側から前記一側面とは反対側となる他側面側へと延びる凹部と凸部とを有し、
前記支持部は、前記床材の下面における前記凸部を支持し、
前記境界部分は、隣り合う前記床材の前記側面同士が互いに向かい合うように配置されることで形成され、
前記基台の前記支持部は、隣り合う前記床材の境界部分を跨ぐように前記床材の下方に配置された下側被覆部材であり、
前記上側被覆部材と前記下側被覆部材とは、上下に対向する位置に配置されるとともに平面視で前記境界部分に沿った同一方向に延在することを特徴とする耐火床構造。
【請求項２】
前記上側被覆部材は、
前記耐火部材の上面に取り付けられた補強材をさらに備えることを特徴とする請求項１に記載の耐火床構造。
【請求項３】
前記耐火部材は、加熱されることで膨張する熱膨張性材料を含有することを特徴とする請求項１又は請求項２に記載の耐火床構造。
【発明の詳細な説明】
【技術分野】
【０００１】
本発明は、耐火床構造に関する。
【背景技術】
【０００２】
特許文献１には、建築物において、シート状の耐火物を柱や梁などの主要構造部材に取り付けた耐火構造が開示されている。
【先行技術文献】
【特許文献】
【０００３】
【特許文献１】特開２０１３−１３０００５号公報
【発明の概要】
【発明が解決しようとする課題】
【０００４】
ところで、建築物の床構造では、下階で火災が発生した場合に上階に拡がることを抑制する耐火性が求められる。
本発明は、こうした実情に鑑みてなされたものであり、その目的は、下階から上階へ火災が拡がることを抑制することのできる耐火床構造を提供することにある。
【課題を解決するための手段】
【０００５】
上記課題を解決する耐火床構造は、枠構造を有する基台と、前記基台上に並設され、前記基台が有する支持部に支持された複数の床材と、隣り合う前記床材の境界部分を跨ぐように前記床材の上面に支持された上側被覆部材と、を備え、前記上側被覆部材は、耐火性を有する耐火部材を備える。
【０００６】
この構成によれば、隣り合う床材の境界部分は、耐火部材を備えた上側被覆部材によって被覆されているため、下階で発生した火災が基台の枠構造における開口部分から床材の境界部分を通じて上階へ拡がることを抑制することができる。
【０００７】
上記耐火床構造において、前記上側被覆部材は、前記耐火部材の上面に取り付けられた補強材をさらに備えることが好ましい。
この構成によれば、耐火部材の形状が安定化されることで、耐火部材が所定の位置で保持され易くなるため、耐火性を高めることが可能となる。
【０００８】
上記耐火床構造において、前記上側被覆部材は、前記耐火部材を下方から支持する支持材をさらに備えることが好ましい。
この構成によれば、耐火部材の脱落を防止することが可能となるため、耐火性能の信頼性を高めることができる。
【０００９】
上記耐火床構造において、前記耐火部材は、加熱されることで膨張する熱膨張性材料を含有することが好ましい。
この構成によれば、火災時に耐火部材が膨張することで、境界部分における隙間をより小さくすることが可能となる。これにより、耐火性を高めることが可能となる。また、耐火部材が膨張することで耐火部材の熱伝導性が低下するため、耐火部材による耐火性を高めることが可能となる。
【００１０】
上記耐火床構造は、隣り合う前記床材の境界部分を跨ぐように前記床材の下方に配置された下側被覆部材をさらに備え、前記下側被覆部材は、前記上側被覆部材と互いに対向する位置に配置されていることが好ましい。
【００１１】
この構成によれば、上記境界部分の耐火性は、上側被覆部材及び下側被覆部材の双方によって高めることが可能となる。
上記耐火床構造において、前記支持部は、金属製であり、前記下側被覆部材は、前記金属製の支持部から構成されていることが好ましい。
【００１２】
この構成によれば、比較的簡素な構造により、境界部分の耐火性を高めることができる。
【発明の効果】
【００１３】
本発明によれば、下階から上階へ火災が拡がることを抑制することができる。
【図面の簡単な説明】
【００１４】
【図１】実施形態の耐火床構造の一部を模式的に示す上面図である。
【図２】耐火床構造の一部を模式的に示す下面図である。
【図３】耐火床構造の一部を示す分解斜視図である。
【図４】図３の４−４線に沿った部分端面図である。
【発明を実施するための形態】
【００１５】
以下、耐火床構造の実施形態について図面を参照して説明する。
図１〜図３に示すように、耐火床構造１１は、枠構造を有する基台２１と、基台２１上に並設され、基台２１が有する支持部２２に支持された複数の床材３１，３１と、複数の床材３１，３１の上面に支持された上側被覆部材４１とを備えている。
【００１６】
本実施形態の基台２１は、複数の梁部材により支持部２２を構成している。梁部材は、金属製であり、例えばＩ型断面を有している。基台２１には、その枠構造により上下に開口（連通）する開口部分２３が形成されている。本実施形態の基台２１は、床面積に応じた床の強度を確保するために格子状に形成されている。基台２１は、建築物において二階以上の部屋の床を形成するために設けられている。
【００１７】
本実施形態の床材３１は、コンクリート製の床本体と、床本体の下面に積層される金属製のデッキプレートとを備えている。床材３１（デッキプレート）は、基台２１に向かい合う凹部３１ａと凸部３１ｂとを有している。床本体には、必要に応じて溶接金網又は異形鉄筋等が埋設される。デッキプレートは、例えば、ＪＩＳ  Ｇ３３５２に規定されるものが用いられる。複数の床材３１，３１は、基台２１における開口部分２３を覆うように配置され、複数の床材３１，３１から床面が形成されている。このように配置された床材３１の下方には、空間が形成される。
【００１８】
図３及び図４に示すように、上側被覆部材４１は、隣り合う床材３１，３１の境界部分３２を跨ぐように床材３１，３１の上面に支持されている。境界部分３２は、基台２１が有する支持部２２に沿って延びる長尺状に形成され、上側被覆部材４１についても境界部分３２に沿った長尺状に形成されている。
【００１９】
図４に示すように、上側被覆部材４１は、耐火性を有する耐火部材４２を備えている。本実施形態の上側被覆部材４１は、耐火部材４２の上面に取り付けられた補強材４３と、耐火部材４２を下方から支持する支持材４４とを備えている。耐火部材４２は、その一部が隣り合う床材３１，３１の間に挿入された状態で配置されている。補強材４３は、耐火部材４２の上面に接合される中間部４３ａと、耐火部材４２の両側方（長さ方向と直交する方向）に突出する両側部４３ｂ，４３ｂとを有している。補強材４３の両側部４３ｂ，４３ｂは、床材３１，３１上に配置されている。支持材４４は、耐火部材４２の下面を支持する中間部４４ａと、耐火部材４２の両側方（長さ方向と直交する方向）に突出する両側部４４ｂ，４４ｂとを有している。支持材４４の両側部４４ｂ，４４ｂは、床材３１，３１上に配置されている。このように、床材３１，３１上に位置する上側被覆部材４１の両側部は、補強材４３の両側部４３ｂ，４３ｂ及び支持材４４の両側部４４ｂ，４４ｂから構成された二層構造となっている。
【００２０】
耐火部材４２に含有される成分としては、例えば、ゴム系材料、充填材、難燃剤、及び熱膨張性材料が挙げられる。ゴム系材料としては、例えば、イソプレンゴム（ＩＲ）、スチレン・ブタジエンゴム（ＳＢＲ）、ブタジエンゴム（ＢＲ）、クロロプレンゴム（ＣＲ）、アクリロニトリル・ブタジエンゴム（ＮＢＲ）、エチレン・プロピレンゴム（ＥＰＭ）、及びエチレン・プロピレン・ジエンゴム（ＥＰＤＭ）が挙げられる。ゴム系材料は、一種を用いてもよいし、二種以上を用いてもよい。ゴム系材料には、老化防止剤等の添加剤を含有させることもできる。
【００２１】
充填材としては、例えば、重質炭酸カルシウム、軽質炭酸カルシウム、膠質炭酸カルシウム、軽微性炭酸カルシウム、クレイ、タルク、酸化チタン、及びベントナイトが挙げられる。難燃剤としては、例えば、臭素系難燃剤、リン系難燃剤、塩素系難燃剤、及び無機系難燃剤が挙げられる。熱膨張性材料としては、例えば、熱膨張黒鉛、及びメラミン系化合物が挙げられる。耐火部材４２は、熱膨張性材料を含有することが好ましい。
【００２２】
耐火部材４２は、粘着性を有していてもよいし、非粘着性であってもよい。
補強材４３としては、例えば、アルミ箔等の金属材料及び難燃性材料が挙げられる。なお、補強材４３は、例えば、耐火部材４２の粘着性や、耐火部材４２と補強材４３との間に設けられる接着層により耐火部材４２に取り付けられる。
【００２３】
支持材４４としては、例えば、不織布及び樹脂フィルムが挙げられる。支持材４４は、例えば、耐火部材４２の粘着性や、耐火部材４２と支持材４４との間に設けられる接着層により耐火部材４２に取り付けられることが好ましい。
【００２４】
耐火床構造１１は、隣り合う床材３１，３１の境界部分３２を跨ぐように床材３１，３１の下方に配置された下側被覆部材５１をさらに備えている。本実施形態の下側被覆部材５１は、上述した基台２１を構成する金属製の支持部２２により構成されている。下側被覆部材５１は、上側被覆部材４１と互いに対向する位置に配置されている。すなわち、上側被覆部材４１が配置された境界部分３２の下方には支持部２２が配置されることで、その境界部分３２は、耐火床構造１１の下面視において支持部２２により遮蔽されている。
【００２５】
次に、耐火床構造１１の組立方法及び耐火床構造１１の作用について説明する。
耐火床構造１１は、基台２１上に床材３１を順次並設することにより組み立てられる。このとき、床材３１，３１の境界部分３２に上側被覆部材４１を配置する。
【００２６】
耐火床構造１１の床面（床材３１の上面）には、図４に二点鎖線で示すように床仕上げ材６１が配置される。このとき、床材３１と床仕上げ材６１との間には、上側被覆部材４１の両側部（補強材４３の両側部４３ｂ，４３ｂ及び支持材４４の両側部４４ｂ，４４ｂ）が配置される。床仕上げ材６１としては、例えば、フローリング、コルク板、タイル、畳、カーペット、樹脂シート材及びゴムシート材が挙げられる。床構造の下方には、図示を省略した下層階の天井部材が設けられる。耐火床構造１１は、集合住宅や個人住宅等の多層住宅や各種多層施設に適用される。
【００２７】
耐火床構造１１では、隣り合う床材３１，３１の境界部分３２は、耐火部材４２を備えた上側被覆部材４１によって被覆されているため、下階で発生した火災が、例えば、図４に白抜き矢印で示すように基台２１の枠構造における開口部分２３から床材３１，３１の境界部分３２を通じて上階へ拡がることを抑制することができる。
【００２８】
上述した実施形態によって発揮される作用効果について以下に記載する。
（１）耐火床構造１１は、枠構造を有する基台２１と、基台２１上に並設され、基台２１が有する支持部２２に支持された複数の床材３１，３１と、隣り合う床材３１，３１の境界部分３２を跨ぐように床材３１，３１の上面に支持された上側被覆部材４１とを備えている。上側被覆部材４１は、耐火性を有する耐火部材４２を備えている。この構成によれば、上述した作用が得られるため、下階から上階へ火災が拡がることを抑制することができる。
【００２９】
（２）上側被覆部材４１は、耐火部材４２の上面に取り付けられた補強材４３を備えている。この場合、耐火部材４２の形状が安定化されることで、耐火部材４２が所定の位置で保持され易くなるため、耐火性を高めることが可能となる。従って、下階から上階へ火災が拡がることをさらに抑制することが可能となる。
【００３０】
（３）上側被覆部材４１は、耐火部材４２を下方から支持する支持材４４を備えている。この場合、耐火部材４２の脱落を防止することが可能となるため、耐火性能の信頼性を高めることができる。
【００３１】
（４）耐火部材４２は、加熱されることで膨張する熱膨張性材料を含有することが好ましい。この場合、火災時に耐火部材４２が膨張することで、境界部分３２における隙間をより小さくすることが可能となる。これにより、耐火性を高めることが可能となる。また、耐火部材４２が膨張することで耐火部材４２の熱伝導性が低下するため、耐火部材４２による耐火性を高めることが可能となる。従って、下階から上階へ火災が拡がることをさらに抑制することが可能となる。
【００３２】
（５）耐火床構造１１は、隣り合う床材３１，３１の境界部分３２を跨ぐように床材３１，３１の下方に配置された下側被覆部材５１を備えている。下側被覆部材５１は、上側被覆部材４１と互いに対向する位置に配置されている。この場合、上記境界部分３２の耐火性は、上側被覆部材４１及び下側被覆部材５１の双方によって高めることが可能となる。従って、下階から上階へ火災が拡がることをさらに抑制することが可能となる。
【００３３】
（６）下側被覆部材５１は、床材３１，３１を支持する金属製の支持部２２から構成されている。この場合、比較的簡素な構造により、境界部分３２の耐火性を高めることができる。
【００３４】
（変更例）
上記実施形態を次のように変更して構成してもよい。
・下側被覆部材５１は、支持部２２により構成されているが、支持部２２以外の部材から構成することもできる。例えば、下側被覆部材５１は、上側被覆部材４１と同様の構成を有するように変更することもできる。すなわち、下側被覆部材５１を耐火部材４２により構成し、境界部分３２を形成する床材３１，３１に粘着等により取り付けてもよい。この場合の耐火部材４２についても、補強材４３等を設けてもよい。また、下側被覆部材５１を支持部２２と耐火部材４２とにより構成することもできる。
【００３５】
・下側被覆部材５１を省略することもできる。すなわち、隣り合う床材３１，３１により形成される境界部分３２のうち、基台２１の開口部分２３に重なる位置の境界部分３２に上側被覆部材４１を配置するように変更してもよい。
【００３６】
・上側被覆部材４１を構成する補強材４３の両側部４３ｂ，４３ｂを省略してもよい。
・上側被覆部材４１を構成する耐火部材４２は、床材３１，３１上に配置される両側部を有していてもよい。すなわち、上側被覆部材４１において、床材３１，３１上に配置される両側部は、補強材４３、支持材４４、及び耐火部材４２の三層構造により構成されてもよい。但し、上側被覆部材４１の両側部は、床仕上げ材６１を配置した場合に不陸（床仕上げ材６１の上面の凹凸）を低減させる観点から、図４に示すように補強材４３及び支持材４４から構成された二層構造であることが好ましい。
【００３７】
・上側被覆部材４１を構成する補強材４３及び支持材４４の少なくとも一方を省略することもできる。例えば、上側被覆部材４１を耐火部材のみから構成する場合、この耐火部材は、隣り合う床材３１，３１の境界部分３２を跨ぐように構成される。
【００３８】
・上側被覆部材４１は、境界部分３２の全てに配置されずに、境界部分３２の一部に配置されていてもよい。すなわち、上側被覆部材４１は、境界部分３２の少なくとも一部に配置されることで、その一部から火災が拡がることを抑制することができる。
【００３９】
・上側被覆部材４１を構成する耐火部材４２は、境界部分３２を形成する床材３１，３１の間で圧縮された状態で配置されていてもよいし、圧縮されずに配置されていてもよい。
【００４０】
・床材３１の構成又は形状を適宜変更してもよい。例えば、床材３１のデッキプレートを省略することもできる。また、床材３１は、軽量気泡コンクリート製であってもよい。また、床材３１の平面形状は、長四角形状に限定されず、例えば、正方形状であってもよい。床材３１の下面の形状も特に限定されない。
【００４１】
・前記基台２１は、金属製であるが、金属以外の耐火性を有する基台に変更してもよい。また、梁部材の断面形状についても、変更することができる。
【符号の説明】
【００４２】
１１…耐火床構造、２１…基台、２２…支持部、２３…開口部分、３１…床材、３１ａ…凹部、３１ｂ…凸部、３２…境界部分、４１…上側被覆部材、４２…耐火部材、４３…補強材、４３ａ，４４ａ…中間部、４３ｂ，４４ｂ…側部、４４…支持材、５１…下側被覆部材、６１…床仕上げ材。
【図１】
0006723767.tif 000002
【図２】
0006723767.tif 000003
【図３】
0006723767.tif 000004
【図４】
0006723767.tif 000005